(57)【要約】【課題】ステージ上に排出された遊技球を一時的に滞留させることができる遊技機を提供する。【解決手段】ステージ部４０の転動面は、中央転動面４１、左側転動面４２、右側転動面４３を備える。中央転動面４１は、転動面の後端部４０２側から前端部４０１側に下り傾斜する。左側転動面４２は、転動面の前端部４０１側から後端部４０２側に下り傾斜し、更に中央転動面４１側に下り傾斜する。右側転動面４３は、前端部４０１側から後端部４０２側に下り傾斜し、更に中央転動面４１側に下り傾斜する。遊技球は、左側転動面４２、中央転動面４１、右側転動面４３を繰り返し往復して流れることで転動面に滞留しながら徐々に勢いを失い、最終的には中央転動面４１の前端部４０１から落下する。それ故、パチンコ機は、球出口３２から排出された遊技球を転動面上に一時的に滞留させることができる。【選択図】図７
2018164704.tif 000002
【特許請求の範囲】
【請求項１】
遊技盤の中央を取り囲むようにしてセンター枠部材が設けられ、前記センター枠部材の両側辺のうち少なくとも一側辺には、前記遊技盤の遊技領域を流下する遊技球が前記センター枠部材の内方に導かれるように球誘導部材が設けられ、前記センター枠部材の下部には、前記球誘導部材の球出口から排出された遊技球を受け入れ、当該受け入れた遊技球を転動させた後に下方に落下させる転動面を有するステージが設けられた遊技機であって、
前記転動面は、
前記球出口から受け入れた遊技球を、遊技者側である一辺側と該一辺側と対向する他辺側との間で往復転動可能、且つ、前記受け入れた遊技球を前記一辺側から落下可能に形成され、
前記ステージを前記遊技者側から見たときに、前記転動面の左右方向の中央部に設けられ、前記他辺側から前記一辺側に向けて下方に傾斜することにより、遊技球を前記一辺側に誘導する第１面部と、
一端部が前記球出口から排出される遊技球を受け入れ可能な位置に設けられ、当該一端部とは反対側の他端部が前記第１面部と隣接して設けられ、前記一辺側から前記他辺側に向けて下方に傾斜し、さらに前記第１面部側に向けて下方に傾斜することにより、前記球出口から排出された遊技球を受け入れて前記第１面部に誘導する第２面部と、
前記第１面部の前記第２面部側とは反対側に隣接して設けられ、前記一辺側から前記他辺側に向けて下方に傾斜し、さらに前記第１面部側に向けて下方に傾斜することにより、前記第１面部から流れた遊技球を前記第１面部に誘導する第３面部と
を備えたことを特徴とする遊技機。
【請求項２】
前記球出口は、前記第２面部の前記球出口側の一端部における前記一辺側に寄せて配置されていること
を特徴とする請求項１に記載の遊技機。
【請求項３】
前記転動面を上方から見たときに、
前記第１面部は、前記転動面における前記他辺側から前記一辺側に向けて幅狭に形成され、
前記第２面部及び第３面部は、前記転動面における前記他辺側から前記一辺側に向けて幅広に形成されたこと
を特徴とする請求項１又は２に記載の遊技機。
【発明の詳細な説明】
【技術分野】
【０００１】
本発明は遊技機に関する。
【背景技術】
【０００２】
従来、遊技領域を流下する遊技球を受け入れ、該受け入れた遊技球を転動させた後に下方に落下させ、入賞口やその他の領域へ導くことができるステージを備えた遊技機が知られている（例えば、特許文献１参照）。この遊技機のステージ上の転動面は、受け入れた遊技球を一辺側と該一辺側と対向する他辺側との間で往復転動可能、且つ受け入れた遊技球を前記一辺側から落下可能に形成されている。転動面は、当該転動面を転動する遊技球を所定領域に誘導する第１誘導部と、第１誘導部に隣接して形成され該第１誘導部に遊技球を誘導する第２誘導部と、第２誘導部における前記第１誘導部と反対側に隣接して形成される第３誘導部とを有する。第２誘導部は、転動面における一辺側から他辺側に向けて幅広、且つ下方に傾斜し、さらに前記第１誘導部側に向けて下方に傾斜するように形成されている。第３誘導部は、一辺側から他辺側に向けて下方に傾斜し、且つ第１誘導部側とは反対側に向けて下方に傾斜するように形成されている。
【先行技術文献】
【特許文献】
【０００３】
【特許文献１】特許第５９１７３７７号公報
【発明の概要】
【発明が解決しようとする課題】
【０００４】
上記遊技機では、ステージ飾り枠の左側下部に設けられたワープ通路を介して遊技領域を流下する遊技球の一部がステージ上の転動面に誘導される。このとき、例えばワープ通路の流出口から流出される遊技球に勢いが無い場合、遊技球が第３誘導部に到達する前に、一辺側からそのまま下方に落下してしまう可能性があった。
【０００５】
本発明の目的は、ステージ上に排出された遊技球を一時的に滞留させることができる遊技機を提供することにある。
【課題を解決するための手段】
【０００６】
本発明に係る遊技機は、遊技盤の中央を取り囲むようにしてセンター枠部材が設けられ、前記センター枠部材の両側辺のうち少なくとも一側辺には、前記遊技盤の遊技領域を流下する遊技球が前記センター枠部材の内方に導かれるように球誘導部材が設けられ、前記センター枠部材の下部には、前記球誘導部材の球出口から排出された遊技球を受け入れ、当該受け入れた遊技球を転動させた後に下方に落下させる転動面を有するステージが設けられた遊技機であって、前記転動面は、前記球出口から受け入れた遊技球を、遊技者側である一辺側と該一辺側と対向する他辺側との間で往復転動可能、且つ、前記受け入れた遊技球を前記一辺側から落下可能に形成され、前記ステージを前記遊技者側から見たときに、前記転動面の左右方向の中央部に設けられ、前記他辺側から前記一辺側に向けて下方に傾斜することにより、遊技球を前記一辺側に誘導する第１面部と、一端部が前記球出口から排出される遊技球を受け入れ可能な位置に設けられ、当該一端部とは反対側の他端部が前記第１面部と隣接して設けられ、前記一辺側から前記他辺側に向けて下方に傾斜し、さらに前記第１面部側に向けて下方に傾斜することにより、前記球出口から排出された遊技球を受け入れて前記第１面部に誘導する第２面部と、前記第１面部の前記第２面部側とは反対側に隣接して設けられ、前記一辺側から前記他辺側に向けて下方に傾斜し、さらに前記第１面部側に向けて下方に傾斜することにより、前記第１面部から流れた遊技球を前記第１面部に誘導する第３面部とを備えたことを特徴とする。
【０００７】
本発明に係る遊技機によれば、球出口から排出された遊技球は、そのままステージの転動面のうち第２面部に落下する。第２面部は第１面部側に向けて下方に傾斜しているだけでなく、遊技者側である一辺側から他辺側に向けて下方に傾斜している。それ故、遊技球は、第２面部を一辺側から他辺側に誘導されながら第１面部に向けて流れる。球出口から排出された遊技球の勢いが弱い場合、遊技球は、第２面部を他辺側に誘導されつつ第１面部に進入し、第３面部に到達することなく、第１面部を他辺側から一辺側に流れて、該一辺側から落下する。これとは逆に、球出口から排出された遊技球の勢いが強い場合、遊技球は、第２面部を他辺側に誘導されつつ第１面部に進入し、第１面部において一辺側に誘導されるも、第１面部を越えて第３面部に進入する。第３面部は、第２面部と同様に、第１面部側に向けて下方に傾斜しているだけでなく、一辺側から他辺側に向けて下方に傾斜している。それ故、遊技球は、第３面部では、再度他辺側に誘導されつつ第１面部に向けて流れる。第１面部に進入した遊技球は、第３面部を流れたことによる勢いによって、第１面部を越えて第２面部に再度進入することもある。この場合、遊技球は、第２面部、第１面部、第３面部を繰り返し往復して流れることによって転動面に滞留しながら徐々に勢いを失い、最終的には第１面部を一辺側に流れ、該一辺側から落下する。このように、本態様によれば、球出口から排出された遊技球は、ステージの転動面を流れた直後に一辺側からそのまま落下するようなことがなく、遊技球を転動面上に一時的に滞留させてから落下させることができる。
【０００８】
なお、第１面部の一辺側の下方には、入賞口を設けるのがよい。この場合、遊技者がステージ上に滞留する遊技球を見ることによって、これから入賞する確率が高いという遊技者の期待度を上げることができる。また、第２面部の一端部は球出口の下方に在るので、球出口から排出された遊技球は全て第２面部を通過することになる。それ故、遊技球は一辺側から他辺側に向けて誘導されるので、球出口から排出された直後に、ステージ上から落下するのを防止できる。
【０００９】
なお、第２面部の「一端部が前記球出口から排出される遊技球を受け入れ可能な位置」とは、例えば球出口の位置、又は球出口の下方等にするとよい。これらの位置に一端部を設けることで、球出口から排出される遊技球を直接的に受け入れることができる。また、他部材を介在して間接的に受け入れ可能としてもよい。また、「隣接して」とは、直接的に隣接する場合のみならず、間接的に隣接する場合も含む。
【００１０】
前記球出口は、前記第２面部の前記球出口側の一端部における前記一辺側に寄せて配置されているとよい。これにより、球出口から排出された遊技球は、第２面部を一辺側から他辺側に向けて長い距離を流れることができる。これにより、ステージ上における遊技球の滞留時間をより長くすることができる。
【００１１】
前記転動面を上方から見たときに、前記第１面部は、前記転動面における前記他辺側から前記一辺側に向けて幅狭に形成され、前記第２面部及び第３面部は、前記転動面における前記他辺側から前記一辺側に向けて幅広に形成されているとよい。これにより、球出口から排出された遊技球は、第２面部を他辺側に向けて流れた後に、速やかに第１面部に進入できる。これにより、何時までも第２面部に遊技球が留まるようなことが無く、適度な時間で滞留させることができるので、ステージ上に多くの遊技球が滞留してしまうのを防止できる。よって、遊技をテンポよく進めることができる。
【００１２】
上述した請求項１〜３の発明は、任意に組み合わせることができる。例えば請求項１の全部又は一部を備えずに他の請求項２,３の少なくとも何れか１つの構成を備えたものとしても良い。但し特に、請求項１の構成を備えて、請求項２，３の少なくとも何れか１つの構成と組み合わせを備えると良い。請求項１〜３の任意の構成要素を抽出し、組み合わせても良い。本出願人はこれらのような構成についても特許権を取得する意思を有する。
【図面の簡単な説明】
【００１３】
【図１】パチンコ機１の正面図である。
【図２】遊技盤２の正面図である。
【図３】遊技盤２の斜視図である。
【図４】センター飾り８の斜視図である。
【図５】ステージ部４０の平面図である。
【図６】ステージ部４０の転動面における遊技球の軌跡Ｌ１を示す図である。
【図７】ステージ部４０の転動面における遊技球の軌跡Ｌ２を示す図である。
【図８】ステージ部４０の転動面における遊技球の軌跡Ｌ３を示す図である。
【発明を実施するための形態】
【００１４】
以下、本発明に係る遊技機の一実施形態であるパチンコ機１について、図面を参照して説明する。以下の説明では、図１の手前側、奥側、上側、下側、左側、及び右側を、夫々、パチンコ機１の前側、後側、上側、下側、左側、及び右側とする。
【００１５】
図１，図２を参照し、パチンコ機１の機械的構成を説明する。図１に示すように、パチンコ機１の上半分の部分には遊技盤２が設けられる。遊技盤２は正面視略正方形の板状であり（図２，図３参照）、透明なガラス板を保持した前面枠１０によって前面を保護されている。遊技盤２の下部には上皿５が設けられる。上皿５は、発射装置（図示略）に金属製の遊技球を供給し、且つ賞球を受ける。上皿５の上面には、遊技者によって操作される操作ボタン９が設けられる。上皿５の直下には、賞球を受ける下皿６が設けられる。下皿６の右横には、遊技球の発射を調整する発射ハンドル７が設けられる。発射ハンドル７は、遊技者が回転操作できるように設けられ、遊技者が発射ハンドル７を回転させて発射操作を行うと、発射ハンドル７の回転角度に応じた強度で、発射装置によって遊技球が発射される。前面枠１０の上部の左右の角には、スピーカ２６が夫々設けられる。
【００１６】
遊技盤２の前面には、ガイドレール３で囲まれた略円形状の遊技領域４が形成されている。発射装置（図示略）によって発射された遊技球は、ガイドレール３によって遊技領域４へ導かれ、遊技領域４内を流下する。遊技領域４の略中央には、正面視略円形枠状のセンター飾り８が設けられている。センター飾り８の内側の略中央には、表示装置２８が設けられている。表示装置２８は、例えばＬＣＤ等によって構成され、様々な映像を表示する。表示装置２８は、例えば、普通当たり判定の結果を遊技者に報知する演出用の図柄である演出図柄を表示する。さらに、表示装置２８の右方には、第四普通電動役物１９が設けられている。また、センター飾り８の内側上部であって、表示装置２８の上部の前側には、所定の演出動作を行う役物装置２０が設けられている。
【００１７】
センター飾り８は、上側部８１、左側部８２、右側部８３、下側部８４を備える。上側部８１は、上方に略円弧状に湾曲する部分である。左側部８２は、上側部８１の左端部から下方に延びる部分である。右側部８３は、上側部８１の右端部から下方に延びる部分である。下側部８４は、左側部８２の下端部と右側部８３の下端部とに連結され、下方に略円弧状に湾曲する部分である。
【００１８】
左側部８２の下側には、ワープ通路３０が設けられる。ワープ通路３０は、遊技領域４を流下する遊技球の一部を、センター飾り８の外側から内側へ案内する為の通路である。ワープ通路３０は、球入口３１と球出口３２を備える。球入口３１は、センター飾り８の左側部８２の上下方向略中央において左方に向けて開口する。球入口３１は、遊技領域４の左側を流下する遊技球の一部をワープ通路３０に受け入れ可能である。ワープ通路３０は、球入口３１から右下方に逆Ｓ字状に屈曲しながら右側方に延設され、球入口３１から進入した遊技球の通路を形成する。球出口３２は、球入口３１側の端部とは反対側の端部に設けられ、右方に向けて開口する。球出口３２は、ワープ通路３０を通過した遊技球を右方に排出可能である。下側部８４の左右方向の略中央部には、後述するステージ部４０が設けられる。ワープ通路３０の球出口３２から排出された遊技球は、ステージ部４０上を左右方向に往復転動し、ステージ部４０の前端部４０１の略中央から遊技領域４へ落下する。
【００１９】
センター飾り８の下側部８４の左右方向略中央部の下方には、第一図柄作動ゲート１１が設けられる。第一図柄作動ゲート１１の右斜め上方には、第四図柄作動ゲート１３が設けられる。第四図柄作動ゲート１３の右斜め上方には、第一普通電動役物１６が設けられる。第一普通電動役物１６の左斜め下方には、第二普通電動役物１７が設けられる。第二普通電動役物１７の左斜め下方には、第三普通電動役物１８が設けられる。遊技盤２には、上記以外に各種の電飾ランプ、入賞口、風車、および遊技くぎ等が設けられる。遊技盤２の右下部には、第一普通当たり判定、第二普通当たり判定、第三普通当たり判定、および第四普通当たり判定の結果および各判定における保留球数等を、例えばＬＥＤで表示する図柄表示部２４が設けられる。
【００２０】
図３〜図５を参照し、ステージ部４０の構造を具体的に説明する。ステージ部４０上の転動面は、平面視左右方向に長い略帯状に形成され（図５参照）、正面視左右方向略中央部が下方に略円弧状に湾曲する。転動面は、中央転動面４１、左側転動面４２、右側転動面４３、接続面４４、接続面４５を備える。中央転動面４１は、転動面の略中央部に形成され、転動面の後端部４０２側から前端部４０１側に向けて下り傾斜する。さらに、中央転動面４１は、後端部４０２側から前端部４０１側に向けて幅狭になった平面視略台形状に形成される。このような中央転動面４１は、後述する左側転動面４２から右側に流れた遊技球を受け入れ、前端部４０１側に誘導する。
【００２１】
左側転動面４２は、転動面の左側部に形成され、その左端部は球出口３２に配置され、右端部は中央転動面４１の左端部と接続面４４を介して隣接する。接続面４４は、左側転動面４２の右端部と中央転動面４１の左端部を滑らかに接続する。左側転動面４２は、転動面の前端部４０１側から後端部４０２側に向けて下り傾斜し、且つ中央転動面４１側に向けて下り傾斜する。さらに、左側転動面４２は、後端部４０２側から前端部４０１側に向けて幅広になった平面視略台形状に形成される。球出口３２は、左側転動面４２の左端部のうち前端部４０１側に寄せて配置される。このような左側転動面４２は、球出口３２から排出された遊技球を受け入れて後端部４０２側に誘導しつつ中央転動面４１に誘導する。左側転動面４２の左端部には、球出口３２の後側に隣接するようにして壁部６６が立設される。
【００２２】
右側転動面４３は、転動面の右側部に形成され、その右端部には壁部４３Ａが立設され、左端部は中央転動面４１の右端部と接続面４５を介して接続する。接続面４５は、右側転動面４３の左端部と中央転動面４１の右端部を滑らかに接続する。右側転動面４３は、前端部４０１側から後端部４０２側に向けて下り傾斜し、且つ中央転動面４１側に向けて下り傾斜する。さらに、右側転動面４３も、左側転動面４２と同様に、後端部４０２側から前端部４０１側に向けて幅広になった平面視略台形状に形成される。このような右側転動面４３は、中央転動面４１から右側に流れた遊技球を受け入れた後、後端部４０２側に誘導しつつ中央転動面４１に誘導する。
【００２３】
上記構成を備える転動面の後端部４０２には、該後端部４０２に沿うようにして、壁部６５が立設される。壁部６５の右端部は、右側転動面４３に設けられた壁部４３Ａの後端部と略直交して連結する。壁部６５の左端部は、左側転動面４２の壁部６６の後端部と略直交して連結する。センター飾り８の下側部８４の前側部のうち左右両側には、装飾板６１，６２が設けられる。左側の装飾板６１の右側の一部は、ステージ部４０の左側転動面４２の前端部４０１に沿って設けられ、前端部４０１から上方に突出する。右側の装飾板６２の左側の一部は、ステージ部４０の右側転動面４３の前端部４０１に沿って設けられ、前端部４０１から上方に突出する。装飾板６１の右端部と装飾板６２の左端部の間には隙間が形成され、該隙間を介して、中央転動面４１、接続面４４，４５の前端部４０１が露出する。それ故、ステージ部４０の転動面は、壁部４３Ａ，６５，６６、装飾板６１，６２によって、前端部４０１の略中央部の隙間を除くその周囲を取り囲まれているので、転動面を転動する遊技球は、中央転動面４１、接続面４４，４５の前端部４０１から下方に落下するようになっている。
【００２４】
中央転動面４１の前端部４０１には凹部５１が設けられ、接続面４４の前端部４０１には凹部５２が設けられ、接続面４４の前端部４０１には凹部５３が設けられる。凹部５１〜５３は、前端部４０１を凹状に切り欠いたように形成された平面視略矩形状の段部である。凹部５１〜５３は、中央転動面４１、接続面４４，４５を前端部４０１側に転動した遊技球を受け入れ、下方に確実に落下させることができる。本実施形態では、中央転動面４１の前端部４０１側の下方に、第一図柄作動ゲート１１が設けられるので（図２参照）、中央転動面４１、接続面４４，４５を前端部４０１側に転動した遊技球を、第一図柄作動ゲート１１に入賞させる確率を高めることができる。
【００２５】
図６〜図８を参照し、ステージ部４０における遊技球の軌跡を説明する。図６〜図８に示す二点鎖線は、ステージ部４０上を転動する遊技球の軌跡Ｌ１〜Ｌ３を示す。図６に示す軌跡Ｌ１のように、球出口３２から右方に排出された遊技球は、ステージ部４０の転動面のうち左側転動面４２を右方に向けて転動する。上記の通り、左側転動面４２は、中央転動面４１側に向けて下り傾斜するだけでなく、遊技者側である前端部４０１側から後端部４０２側に向けて下り傾斜する。それ故、遊技球は、左側転動面４２を前端部４０１側から後端部４０２側に誘導されながら中央転動面４１に向けて流れる。そして、中央転動面４１に進入した遊技球は、中央転動面４１の後端部４０２側を右方へ進み、中央転動面４１を越えて右側転動面４３に進入する。遊技球は、右側転動面４３において左方に方向転換しながら中央転動面４１に向けて流れ、中央転動面４１に再度進入する。このようにして、遊技球は、略８の字を描くように左右方向に往復転動しながら、球の勢いが無くなるにつれて徐々に手前に近付いてくる。そして、最終的に遊技球は、前端部４０１に設けられた凹部５１〜５３の何れかに落ち、前端部４０１側から落下するようになっている。
【００２６】
特に、図７に示す軌跡Ｌ２のように、球出口３２から排出された遊技球の勢いが強い場合、遊技球は、左側転動面４２、中央転動面４１、右側転動面４３を左右方向に繰り返し往復転動することによって勢いが弱まることから、左右方向の転動幅が徐々に狭くなりつつ、遊技球は中央転動面４１の傾斜によって少しずつ手前側に近づく。即ち、本実施形態のステージ部４０では、左側転動面４２と右側転動面４３の後端部４０２側への傾斜により、左右方向に転動する遊技球は、中央転動面４１の前端部４０１へ向けた下り傾斜に逆らうように、後端部４０２方向への転動を繰り返す。これにより、ステージ部４０の転動面上の滞留を長くできる。そして、最終的に遊技球は、凹部５１〜５３の何れかに落ち、前端部４０１側から落下する。なお、本実施形態では、ワープ通路３０の上記形状によって、球出口３２から排出される遊技球に勢いが有ることから、図７に示すケースが比較的多い。
【００２７】
また、図８に示す軌跡Ｌ３のように、球出口３２から排出された遊技球が、図７の軌跡Ｌ２とは逆の略８の字を描く場合もある。この場合も、遊技球は、左側転動面４２、中央転動面４１、右側転動面４３を左右方向に繰り返し往復転動することによって、転動面に滞留しながら徐々に勢いを失い、徐々に手前側に近付くことによって、最終的には凹部５１〜５３の何れかに落ち、前端部４０１側から落下する。これにより、ステージ部４０の転動面上における遊技球の滞留を長くできる。
【００２８】
このように、本実施形態のパチンコ機１によれば、球出口３２から排出された遊技球は、ステージ部４０の転動面を流れた直後に前端部４０１側からそのまま落下するようなことがなく、遊技球を転動面上に一時的に滞留させてから落下させることができる。そして、中央転動面４１の前端部４０１側の下方には、第一図柄作動ゲート１１が設けられるので、遊技者がステージ部４０上に滞留する遊技球を見ることによって、これから入賞する確率が高いという遊技者の期待度を上げることができる。また、左側転動面４２の左端部は球出口３２の位置に設けられるので、球出口３２から排出された遊技球は全て左側転動面４２を通過することになる。それ故、遊技球は、左側転動面４２において前端部４０１側から後端部４０２側に向けて全て誘導されるので、球出口３２から排出された直後に、ステージ部４０上から落下するのを防止できる。
【００２９】
また、球出口３２は、左側転動面４２の左端部における前端部４０１側に寄せて配置されているので、球出口３２から排出された遊技球は、左側転動面４２を前端部４０１側から後端部４０２側に向けて長い距離を流れることができる。これにより、ステージ部４０上における遊技球の滞留時間をより長くできる。
【００３０】
また、ステージ部４０を上方から見たときに、中央転動面４１は、後端部４０２側から前端部４０１側に向けて幅狭になった平面視略台形状に形成される。さらに、左側転動面４２と右側転動面４３は、後端部４０２側から前端部４０１側に向けて幅広になった平面視略台形状に形成される。これにより、球出口３２から排出された遊技球は、左側転動面４２を後端部４０２側に向けて流れた後に、速やかに中央転動面４１に進入できる。これにより、いつまでも左側転動面４２に遊技球が留まるようなことが無く、適度な時間で滞留させることができるので、ステージ部４０上に多くの遊技球が滞留してしまうのを防止できる。よって、遊技をテンポよく進めることができる。
【００３１】
なお、右側転動面４３においても同様に、中央転動面４１から右側転動面４３に流れた遊技球が右側転動面４３を後端部４０２側に向けて流れた後に、速やかに中央転動面４１に進入できる。これにより、いつまでも右側転動面４３に遊技球が留まるようなことが無く、適度な時間で滞留させることができるので、ステージ部４０上に多くの遊技球が滞留してしまうのを防止できる。
【００３２】
以上説明において、センター飾り８は本発明の「センター枠部材」の一例である。ワープ通路３０は本発明の「球誘導部材」の一例である。ステージ部４０が本発明の「ステージ」の一例である。転動面のうち、中央転動面４１は本発明の「第１面部」の一例であり、左側転動面４２は本発明の「第２面部」の一例であり、右側転動面４３は本発明の「第３面部」の一例である。前端部４０１は本発明の「一辺」の一例であり、後端部４０２は本発明の「他辺」の一例である。
【００３３】
以上説明したように、本実施形態のパチンコ機１は、遊技盤２の中央を取り囲むようにしてセンター飾り８が設けられ、そのセンター飾り８の左側部８２には、ワープ通路３０が設けられている。ワープ通路３０は、遊技盤２の遊技領域４を流下する遊技球の一部をセンター飾り８の内方に導く。センター飾り８の下側部８４には、ステージ部４０が設けられている。ステージ部４０は、ワープ通路３０の球出口３２から排出された遊技球を受け入れ、当該受け入れた遊技球を転動させた後に下方に落下させる転動面を有する。該転動面は、球出口３２から受け入れた遊技球を、遊技者側である前端部４０１側と後端部４０２側との間で往復転動可能、且つ、受け入れた遊技球を前端部４０１側から落下可能に形成されている。転動面は、中央転動面４１、左側転動面４２、右側転動面４３を備える。
【００３４】
中央転動面４１は、転動面の略中央部に形成され、転動面の後端部４０２側から前端部４０１側に向けて下り傾斜する。このような中央転動面４１は、左側転動面４２を右側に流れた遊技球を受け入れ、前端部４０１側に誘導する。左側転動面４２は、転動面の左側部に形成され、その左端部は球出口３２に隣接し、右端部は中央転動面４１の左端部と接続面４４を介して隣接する。左側転動面４２は、転動面の前端部４０１側から後端部４０２側に向けて下り傾斜し、更に中央転動面４１側に向けて下り傾斜する。このような左側転動面４２は、球出口３２から排出された遊技球を受け入れて後端部４０２側に誘導しつつ中央転動面４１に誘導する。右側転動面４３は、転動面の右側部に形成され、その右端部には壁部４３Ａが立設され、左端部は中央転動面４１の右端部と接続面４５を介して接続する。右側転動面４３は、前端部４０１側から後端部４０２側に向けて下り傾斜し、更に中央転動面４１側に向けて下り傾斜する。このような右側転動面４３は、中央転動面４１から右側に流れた遊技球を受け入れた後、後端部４０２側に誘導しつつ中央転動面４１に誘導する。
【００３５】
球出口３２から排出された遊技球は、左側転動面４２、中央転動面４１、右側転動面４３を繰り返し往復して流れることによって転動面に滞留しながら徐々に勢いを失い、最終的には中央転動面４１を前端部４０１側に流れ、該前端部４０１側から落下する。つまり、左側転動面４２と右側転動面４３の後端部４０２側への傾斜により、中央転動面４１の前端部４０１へ向けた下り傾斜に逆らうように、左右方向に転動する遊技球は、後端部４０２方向への転動を繰り返すため、ステージ部４０の転動面上の滞留を長くできる。これにより、パチンコ機１では、球出口３２から排出された遊技球を、ステージ部４０の転動面を流れた直後に前端部４０１側からそのまま落下させるようなことがなく、遊技球を転動面上に一時的に滞留させてから落下させることができる。  
【００３６】
なお、本発明は、上記の実施形態に限定されるものではなく、種々の変更が可能である。上記実施形態のセンター飾り８は左側部８２にワープ通路３０を設けているが、右側部８３に設けてもよい。その場合、ステージ部４０の転動面の順序を上記実施形態と左右対称にすればよい。
【００３７】
上記実施形態のステージ部４０の転動面は、接続面４４，４５を備えているが、これらは省略してもよい。即ち、左側転動面４２の右端部と中央転動面４１の左端部を直接接続してもよく、中央転動面４１の右端部と右側転動面４３の左端部を直接接続してもよい。
【００３８】
上記実施形態の転動面の前端部４０１には、凹部５１〜５３が設けられているが、これらは省略してもよい。
【００３９】
上記実施形態の左側転動面４２の左端部は、球出口３２の位置に設けられているが、球出口３２から排出される遊技球を受け入れ可能であればよく、例えば、球出口３２の直下（下方）に設けてもよい。また、球出口３２と左側転動面４２との間に、別部材の通路のようなものを設けてもよい。
【００４０】
上記実施形態の球出口３２は、左側転動面４２の左端部において前端部４０１側に寄せて配置されているが、球出口３２から排出される遊技球を受け入れ可能であれば、前端部４０１側に寄せて配置しなくてもよい。
【００４１】
上記実施形態のステージ部４０の転動面は、左側転動面４２、中央転動面４１、右側転動面４３を備えるが、何れか一つ又は二つを備えてもよく、好ましくは左側転動面４２を備えるとよい。
【００４２】
上記実施形態は、遊技機として、遊技機の一種であるパチンコ機１を例に挙げているが、遊技機はパチンコ機に限られず、パチコン機、パチスロ台等の各種の遊技機に適用可能である。
【００４３】
なお、請求項、明細書および図面に記載される全ての要素（例えば、演出装置、図柄表示部、電動役物、入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示画面」は、ハード単体でも、ソフトを含んだものであっても構わない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００４４】
１    パチンコ機
２    遊技盤
４    遊技領域
１１    第一図柄作動ゲート
３０    ワープ通路
３１    球入口
３２    球出口
４０    ステージ部
４１    中央転動面
４２    左側転動面
４３    右側転動面
８２    左側部
８４    下側部
４０１    前端部
４０２    後端部
【図１】
2018164704.tif 000003
【図２】
2018164704.tif 000004
【図３】
2018164704.tif 000005
【図４】
2018164704.tif 000006
【図５】
2018164704.tif 000007
【図６】
2018164704.tif 000008
【図７】
2018164704.tif 000009
【図８】
2018164704.tif 000010